(57)【要約】【課題】非接触カード機能用コンテンツの取得を簡単にユーザに認知させることができる移動体端末装置を提供すること。【解決手段】外部Ｒ／Ｗに移動体端末２１を近づけると、移動体端末２１のフェリカチップ２１３が通信部２２２を介して情報信号を検出する。ヘッダ識別部２１２は、通信部２２２を介して受けた情報信号のヘッダを識別し、情報信号にフェリカコンテンツが含まれていると、フェリカコンテンツをフェリカチップ２１３に格納する。ＦＡＭ２１５は、制御信号に基づいてテーブルを参照し、そのフェリカコンテンツに対応する演出を移動機ＯＳ２１６に対して指示する。移動機ＯＳ２１６は、ＦＡＭ２１５から指示にしたがってスピーカ２１７、ランプ２１８、ディスプレイ２１９及び／又はバイブレータ２２０を用いて演出を実行する。【選択図】図２
2006109028.tif 000002
【特許請求の範囲】
【請求項１】
端末本体と、前記端末本体に設けられ、外部機器から報知された非接触カード機能用コンテンツを取得する取得手段と、前記非接触カード機能用コンテンツを使用するための制御を行う非接触カード機能制御手段と、前記端末本体に設けられ、前記外部機器から前記非接触カード機能用コンテンツを取得した際に演出を行うための演出手段と、を具備することを特徴とする移動体端末装置。
【請求項２】
前記演出手段は、前記非接触カード機能用コンテンツに応じて異なる演出を行うことを特徴とする請求項１記載の移動体端末装置。
【請求項３】
前記非接触カード機能制御手段は、前記演出手段が行う演出と前記非接触カード機能用コンテンツとを関連づけるテーブルを有することを特徴とする請求項１又は請求項２記載の移動体端末装置。
【請求項４】
前記演出手段は、スピーカ、ランプ、ディスプレイ及びバイブレータからなる群より選ばれた少なくとも一つであることを特徴とする請求項１から請求項３のいずれかに記載の移動体端末装置。
【請求項５】
前記取得手段は、前記非接触カード機能用コンテンツを取得したときに取得信号を前記外部機器に送信することを特徴とする請求項１から請求項４のいずれかに記載の移動体端末装置。
【発明の詳細な説明】
【技術分野】
【０００１】
本発明は、移動体端末装置に関し、非接触カード機能用コンテンツの取得を簡単にユーザに認知させる移動体端末装置に関する。
【背景技術】
【０００２】
近年、プラスチックカードにＩＣを埋め込んだＩＣカードが普及している。このＩＣカードは、種々のカード、クレジットカードやデビッドカードなどの機能を搭載することが可能である。このＩＣカード機能（非接触カード機能）を移動体端末装置に搭載する技術が開発されてきている（特許文献１参照）。
【０００３】
ＩＣカード機能を搭載した移動体端末装置を外部リーダ／ライタ（Ｒ／Ｗ）にかざして移動体端末装置と外部Ｒ／Ｗとの間で通信を行う場合、例えばＩＣカードの認証などを行う場合に、認証が正常に行われたかどうかをユーザに認知させるためには、認証が正常に行われた際にアラーム音を鳴らしたり、ＬＥＤを発光させたりする機能を外部Ｒ／Ｗ側に搭載する必要があった。
【０００４】
【特許文献１】特開２００２−８４３４５号公報
【発明の開示】
【発明が解決しようとする課題】
【０００５】
しかしながら、従来の構成では、認証が正常に行われたかどうかをユーザに認知させる機能は、外部Ｒ／Ｗ側に持たせる必要があり、外部Ｒ／Ｗの構成が複雑になるという問題がある。
【０００６】
本発明はかかる点に鑑みてなされたものであり、非接触カード機能用コンテンツの取得を簡単にユーザに認知させることができる移動体端末装置を提供することを目的とする。
【課題を解決するための手段】
【０００７】
本発明の移動体端末装置は、端末本体と、前記端末本体に設けられ、外部機器から非接触カード機能用コンテンツを取得する取得手段と、前記端末本体に搭載された種々の機能を用いて前記非接触カード機能用コンテンツを使用するための制御を行う非接触カード機能制御手段と、前記端末本体に設けられ、前記外部機器から前記非接触カード機能用コンテンツを取得した際に演出を行うための演出手段と、を具備することを特徴とする。
【０００８】
この構成によれば、外部機器から報知された非接触カード機能用コンテンツを取得した際に、移動体端末装置に予め搭載された各種機能を用いて演出を行うので、外部機器側になんら特殊な機能を持たせなくても、非接触カード機能用コンテンツの取得を簡単にユーザに認知させることができる。
【０００９】
本発明の移動体端末装置においては、前記演出手段は、前記非接触カード機能用コンテンツに応じて異なる演出を行うことが好ましい。
【００１０】
この構成によれば、ユーザは、特定の非接触カード機能用コンテンツを正常に取得したことを演出手段の演出で簡単に認知することができる。
【００１１】
本発明の移動体端末装置においては、前記非接触カード機能制御手段は、前記演出手段が行う演出と前記非接触カード機能用コンテンツとを関連づけるテーブルを有することが好ましい。
【００１２】
この構成によれば、非接触カード機能用コンテンツ取得の際の演出を管理することが可能となる。したがって、テーブルを参照することにより、容易に所定の演出を行うことが可能となる。
【００１３】
本発明の移動体端末装置においては、前記演出手段は、スピーカ、ランプ、ディスプレイ及びバイブレータからなる群より選ばれた少なくとも一つであることが好ましい。
【００１４】
本発明の移動体端末装置においては、前記取得手段は、前記非接触カード機能用コンテンツを取得したときに取得信号を前記外部機器に送信することが好ましい。
【００１５】
この構成によれば、移動体端末装置が外部機器に対して非接触カード機能用コンテンツを正常に取得したことを通知することができる。
【発明の効果】
【００１６】
本発明によれば、外部機器から報知された非接触カード機能用コンテンツを取得した際に移動体端末装置内で演出を行うので、非接触カード機能用コンテンツの取得を簡単にユーザに認知させることができる。
【発明を実施するための最良の形態】
【００１７】
以下、本発明の実施の形態について、添付図面を参照して詳細に説明する。
図１は、本発明の一実施の形態に係る移動体端末装置を含む非接触カード機能管理システムの概略構成を示す図である。
【００１８】
図１に示すシステムは、本発明に係る移動体端末（携帯電話）１１と、この移動体端末１１と移動通信網１２を介して接続された移動通信網用サーバ１３と、移動体端末１１とインターネット１４のようなネットワークを介して接続されたＷｅｂサーバ１５及び非接触カード機能用コンテンツサーバ１６とから主に構成されている。
【００１９】
移動体端末１１は、種々のアプリケーション１１１及び非接触カード機能１１２を実行できる機能を備えている。また、移動体端末１１は、外部リーダライタ（Ｒ／Ｗ）１７と情報の送受信を行うことができる取得手段であるリーダライタ（図示せず）を備えている。なお、外部リーダライタ１７は、コントローラ１８により駆動する。
【００２０】
移動体端末１１における非接触カード機能１１２は、非接触カード、例えば非接触ＩＣカード機能用コンテンツを追加・削除できる機能をいい、例えばフェリカ（Felica：登録商標）などを挙げることができる。非接触カード機能１１２を実現するために、移動体端末には、コンテンツを格納する格納領域と、非接触カード機能用のオペレーションシステム（コントローラ）とが搭載されている。
【００２１】
移動通信網１２は、移動体端末１１と移動通信網用サーバ１３との間のネットワークである。この移動通信網１２には、通常の移動通信網に加えて移動パケット通信網も含まれる。移動通信網用サーバは、例えばｉモード（登録商標）サーバであり、移動通信網１２とインターネット１４とを結ぶゲートウェイ機能を担っており、具体的には、情報配信機能、メール送受信機能、メール蓄積機能、契約顧客管理機能、情報提供者（Information Provider）管理機能、及び情報料課金機能を有する。
【００２２】
ネットワークには、インターネット１４をはじめその他のネットワーク、例えばＬＡＮやＷＡＮなども含まれる。Ｗｅｂサーバ１５は、移動体端末１１にダウンロードするアプリケーション１１１を格納するインターネット１４上のサーバである。
【００２３】
コンテンツサーバ１６は、非接触カード機能用コンテンツを提供する複数のサービスプロバイダから提供されるそれぞれの非接触カード機能用コンテンツを格納すると共に、非接触カード機能を実現するコントローラとネットワークを介して非接触カード機能用コンテンツの追加・削除、初期化、データの読み書きを行う。また、コンテンツサーバ１６は、コンテンツサーバ１６から非接触カード機能を実現するコントローラに対する処理を行うためのアプリケーションも搭載している。なお、このコンテンツサーバは、サービスプロバイダがそのＷｅｂサーバと共にインターネット１４上に有しても良く、サービスプロバイダのＷｅｂサーバとは別にインターネット１４とは別のネットワーク上にあっても良い。例えば、非接触カード機能がフェリカである場合には、コンテンツサーバ１６はフェリカサーバである。
【００２４】
上記構成を有するシステムにおいては、移動体端末１１において、非接触カード機能用コンテンツを提供するアプリケーションを経由して非接触カード機能用コンテンツの追加・削除の制御を行うと共に、移動体端末１１の通信部を介して取得した非接触カード機能用コンテンツの追加の制御を行う。このように、アプリケーション経由でも、アプリケーションを経由せずに通信部からでも非接触カード機能用コンテンツの追加を制御することができるので、ユーザは非接触カード機能用コンテンツの追加・削除を簡単な操作で行うことができる。
【００２５】
移動体端末１１において、非接触カード機能用コンテンツを提供するアプリケーション１１１を経由して非接触カード機能用コンテンツの追加・削除の制御を行う場合には、移動体端末１１のアプリケーション１１１、例えばｉアプリ（登録商標）により非接触カード機能１１２にアクセスする。そして、このアプリケーション１１１上で非接触カード機能用コンテンツの追加・削除を行う。
【００２６】
移動体端末１１において、通信部を介して非接触カード機能用コンテンツの追加の制御を行う場合には、アプリケーション１１１を介さずに直接外部Ｒ／Ｗ１７から非接触カード機能用コンテンツの追加を行う。このとき、追加した非接触カード機能用コンテンツに対応するコンテンツ情報をＷｅｂサーバ１５から取得する。
【００２７】
外部Ｒ／Ｗ１７は、常に非接触カード機能用コンテンツを報知している。この外部Ｒ／Ｗ１７に移動体端末１１を近づけることにより、簡単に非接触カード機能用コンテンツを移動体端末１１に取り入れることができるようになっている。
【００２８】
なお、上記構成を有するシステムにおいては、情報配信、メール送受信、メール蓄積、契約顧客管理、情報提供者管理、及び情報料課金を行うことが可能であるが、説明を簡単にするために、ここでは詳細な手順などについて記述しない。
【００２９】
図２は、本発明の一実施の形態に係る移動体端末装置の概略構成を示すブロック図である。なお、図２に示す構成は、本発明を説明するために簡略化したものであり、通常の移動体端末装置に搭載される構成要素は備えているものとする。なお、ここでは、非接触カード機能用コンテンツがフェリカコンテンツである場合について説明する。
【００３０】
図２に示す移動体端末装置２１は、端末装置本体内に、外部Ｒ／Ｗやネットワークとの間の通信を制御する通信制御部２１１と、外部Ｒ／Ｗから取得したコンテンツ情報に含まれるヘッダを識別するヘッダ識別部２１２と、電磁波により起動して非接触カード機能用コンテンツを格納するフェリカチップ２１３と、サービスに対応するアプリケーションなどを格納するメモリ２１４と、フェリカコンテンツを使用するための制御を行うフェリカアプリケーションマネージャ（Felica Application Manager：ＦＡＭ）２１５と、移動体端末２１の種々の機能を実行する端末オペレーションシステム（移動機ＯＳ）２１６と、音声を出力するスピーカ２１７と、光を発するランプ２１８と、種々の画像・映像を表示するディスプレイ２１９と、振動を発生するバイブレータ２２０と、ブラウザ、メニュー、ビューワ、Ｊａｖａ（登録商標）などのアプリケーション２２１とから主に構成されている。また、移動体端末装置２１は、外部Ｒ／Ｗからの情報を取得する通信部２２２と、無線信号を送受信するためのアンテナ２２３とを備えている。
【００３１】
通信制御部２１１は、移動体端末２１と他の移動体端末装置や別の通信機器との間の無線通信の制御や、通信部２２２を介する外部Ｒ／Ｗとの間の通信の制御などを行う。例えば、通信制御部２１１は、アンテナ２２３からの無線信号を受信すると共に、他の移動体端末や別の通信機器に送信する信号をアンテナ２２３を介して送信する。また、外部Ｒ／Ｗから報知された信号を通信部２２２を介してフェリカチップ２１３に送る。
【００３２】
本実施の形態においては、通信部２２２を介して外部Ｒ／Ｗからフェリカコンテンツを取得するように構成されている。なお、通信部２２２としては、外部Ｒ／Ｗから情報を取得できるものであれば良い。また、通信制御部２１１において、外部Ｒ／Ｗとの間の信号の送受信を行う際の認証処理を行うように構成しても良い。
【００３３】
ヘッダ識別部２１２は、通信部２２２を介して受信した信号に付与されているヘッダを識別する。このヘッダは、例えば受信した情報がフェリカコンテンツであるか、それ以外の情報かを識別するために使用される。そして、このヘッダにより、受信した情報をフェリカチップ２１３に格納するかメモリ２１４に格納するかを判断する。したがって、ヘッダ識別部２１２は、受信信号のヘッダを識別して、フェリカコンテンツである場合には、受信した情報をフェリカチップ２１３に格納し、フェリカコンテンツでない場合には、受信した情報をメモリ２１４に格納する。なお、このヘッダ識別部２１２において、コンテンツの内容以外を示すヘッダを識別するようにしても良い。
【００３４】
フェリカチップ２１３は、所定の電磁波を検出することにより起動し、通信部２２２を介してフェリカコンテンツを受信すると共に、必要に応じて信号を受信した旨の取得信号を通信部２２２を介して送信する。このように、取得信号を送信することにより、移動体端末２１が外部Ｒ／Ｗに対してフェリカコンテンツを正常に取得したことを通知することができる。また、フェリカチップ２１３は、フェリカコンテンツを受信したときに所定の演出を行うように移動機ＯＳ２１６に指示する。なお、フェリカチップ２１３は、例えば共通領域と、公共領域と、フリー領域とから構成されている。これらの領域は、例えばフェリカコンテンツのカテゴリ、サービスレベルの違い、セキュリティの高さにより分けられている。
【００３５】
ＦＡＭ２１５は、フェリカコンテンツを使用するための制御を行う。特に、ＦＡＭ２１５は、外部Ｒ／Ｗから非接触カード機能用コンテンツを簡単に取得するアクセス制御、取得したフェリカコンテンツの管理並びにブラウザ、メニュー及びフェリカビューワなどのアプリケーション２２１を実行するためのコマンドの発行を行う。ＦＡＭ２１５の機能については、本出願の出願人による特願２００４−２５７６２６号に記載されている。このすべての内容は参照によりここに含めておく。
【００３６】
移動機ＯＳ２１６は、フェリカに関する機能以外の機能、例えば情報配信機能、メール送受信機能、メール蓄積機能、契約顧客管理機能、情報提供者（Information Provider）管理機能、及び情報料課金機能を実行する。また、移動機ＯＳ２１６は、スピーカ２１７、ランプ２１８、ディスプレイ２１９及びバイブレータ２２０を動作させる。
【００３７】
スピーカ２１７、ランプ２１８、ディスプレイ２１９及びバイブレータ２２０は、外部Ｒ／Ｗからフェリカコンテンツを取得した際に演出を行うための演出手段を構成する。これらの演出手段による演出は、スピーカ２１７、ランプ２１８、ディスプレイ２１９及びバイブレータ２２０のうち少なくとも一つを用いて行う。なお、演出手段として、移動体端末２１内におけるスピーカ２１７、ランプ２１８、ディスプレイ２１９及びバイブレータ２２０以外の部品を用いても良い。
【００３８】
上記演出手段による演出は、取得したフェリカコンテンツに応じて異なるように設定しても良い。このように設定することにより、ユーザは、特定のフェリカコンテンツを正常に取得したことを演出手段の演出で簡単に認知することができる。この場合、図３に示すような演出手段が行う演出とフェリカコンテンツとを関連づけるテーブルを用いる。フェリカコンテンツ取得の際の演出を管理することが可能となる。したがって、テーブルを参照することにより、容易に所定の演出を行うことが可能となる。
【００３９】
このテーブルは、ＦＡＭ２１５に格納されていても良く、メモリ２１４に格納されても良い。例えば、図３に示すテーブルがＦＡＭ２１５に格納されている場合には、フェリカチップ２１３がフェリカコンテンツを受信したときに、ＦＡＭ２１５がテーブルを参照してフェリカコンテンツに対応する演出を抽出し、その演出を実行するように移動機ＯＳ２１６に指示する。移動機ＯＳ２１６はこの指示にしたがってスピーカ２１７、ランプ２１８、ディスプレイ２１９及び／又はバイブレータ２２０を動作させる。例えば、フェリカコンテンツがmobile 交通カードであれば、演出パターン＃１の音を鳴らす。フェリカコンテンツがコンビにクーポンであれば、演出パターン＃３の音を鳴らし、演出パターン＃７の光を発光させ、演出パターン＃１２の画像表示を行う。フェリカコンテンツがケータイEdyであれば、演出パターン＃２の音を鳴らし、演出パターン＃１３の画像表示を行う。
【００４０】
ブラウザ、メニュー、ビューワのようなアプリケーション２２１は、ＦＡＭ２１５上で動作するように構成しても良く、移動機ＯＳ２１６上で動作するように構成しても良い。
【００４１】
次に、上記構成を有する移動体端末装置の動作について説明する。
外部Ｒ／Ｗは、所定の搬送波をフェリカコンテンツなどの情報信号で変調し、この情報信号を常時報知している。この外部Ｒ／Ｗに移動体端末２１を近づけると、まず、移動体端末２１のフェリカチップ２１３が通信部２２２を介して情報信号を検出する。情報信号は電磁波であるので、この電磁波によりフェリカチップ２１３が起動する。
【００４２】
次いで、ヘッダ識別部２１２は、通信部２２２を介して受けた情報信号のヘッダを識別し、情報信号にフェリカコンテンツが含まれていると、フェリカコンテンツをフェリカチップ２１３に格納する。このとき、フェリカチップ２１３は、必要に応じて、フェリカコンテンツを取得した旨の取得信号を外部Ｒ／Ｗに送信する。
【００４３】
フェリカチップ２１３は、フェリカコンテンツを取得すると、ＦＡＭ２１５にフェリカコンテンツを取得した旨の制御信号を送る。ＦＡＭ２１５は、制御信号に基づいて図３に示すテーブルを参照し、そのフェリカコンテンツに対応する演出を移動機ＯＳ２１６に対して指示する。移動機ＯＳ２１６は、ＦＡＭ２１５から指示にしたがってスピーカ２１７、ランプ２１８、ディスプレイ２１９及び／又はバイブレータ２２０を用いて演出を実行する。
【００４４】
フェリカコンテンツの種類に応じて異なる演出を行う場合には、上記のようにＦＡＭ２１５のテーブルを参照するが、フェリカコンテンツを取得した場合に特定の演出を行うように設定してある場合には、ＦＡＭ２１５を介さずに、フェリカチップ２１３がフェリカコンテンツを取得したときに、フェリカコンテンツを取得した旨の制御信号を送り、その制御信号に基づいて移動機ＯＳ２１６が演出を行う。
【００４５】
このように本実施の形態においては、外部Ｒ／Ｗから報知されたフェリカコンテンツを取得した際に、移動体端末２１に予め搭載された各種機能を用いて演出を行うので、外部Ｒ／Ｗ側になんら特殊な機能を持たせなくても、フェリカコンテンツの取得を簡単にユーザに認知させることができる。
【００４６】
本発明は上記実施の形態に限定されず、種々変更して実施することが可能である。例えば、上記実施の形態で説明した構成に限定されず、本発明の範囲を逸脱しない限りにおいて適宜変更して実施することが可能である。例えば上記実施の形態においては、フェリカと共にブラウザ、メニュー、フェリカビューワを起動する制御手段としてＦＡＭを用いた場合について説明しているが、本発明においては、フェリカと共にブラウザ、メニュー、フェリカビューワを起動することができる他の制御手段や管理手段などを用いても良い。また、上記実施の形態においては、非接触カード機能がフェリカである場合について説明しているが、本発明は非接触カード機能がフェリカ以外の非接触カード機能である場合にも同様に適用することができる。
【００４７】
また、本発明によれば、上記非接触カード機能用コンテンツの取得以外に、外部機器から報知された信号に応じて携帯電話内に予め搭載された機能を動作させることができる。例えば、病院などの入り口に所定の信号を報知する外部機器を設置しておき、ユーザがその付近を通過する際に、携帯電話が所定の信号を受信して携帯電話を自動的にマナーモードに切り替えるようにすることも可能となる。
【図面の簡単な説明】
【００４８】
【図１】本発明の一実施の形態に係る移動体端末装置を含む非接触カード機能管理システムの概略構成を示す図である。
【図２】本発明の一実施の形態に係る移動体端末装置の非接触カード機能用コンテンツを格納する格納領域の構成を示す図である。
【図３】移動体端末装置の表示画面において共通領域の非接触カード機能用コンテンツを示した図である。
【符号の説明】
【００４９】
１１，２１  移動体端末
１２  移動通信網
１３  移動通信網用サーバ
１４  インターネット
１５  Ｗｅｂサーバ
１６  非接触カード機能用コンテンツサーバ
１７  外部リーダライタ
１８  コントローラ
１１１，２２１  アプリケーション
１１２  非接触カード機能
２１１  通信制御部
２１２  ヘッダ識別部
２１３  フェリカチップ
２１４  メモリ
２１５  ＦＡＭ
２１６  移動機ＯＳ
２１７  スピーカ
２１８  ランプ
２１９  ディスプレイ
２２０  バイブレータ
２２２  通信部
２２３  アンテナ
【図１】
2006109028.tif 000003
【図２】
2006109028.tif 000004
【図３】
2006109028.tif 000005
【手続補正書】
【提出日】平成16年10月6日(2004.10.6)
【手続補正１】
【補正対象書類名】明細書
【補正対象項目名】００４８
【補正方法】変更
【補正の内容】
【００４８】
【図１】本発明の一実施の形態に係る移動体端末装置を含む非接触カード機能管理システムの概略構成を示す図である。
【図２】本発明の一実施の形態に係る移動体端末装置の概略構成を示すブロック図である。
【図３】移動体端末装置で行う演出とフェリカコンテンツとを関連づけるテーブルを示す図である。